(57)【要約】  本発明は、聴覚障がい者に対して、可聴警報または音源に関連付けられる他の特定の音響信号を通知する装置であって、当該装置は、出力音源の近傍において、音の記録および認識フェーズならびに識別コードに関連付けるための適切な手段によって、特定の音響警報にそれぞれ関連付けられる複数の受信および送信要素であって、音響警報を受信する圧電センサ、ＦＦＴ分析によって音響警報の認識を実行する記憶装置を少なくとも有するマイクロプロセッサ、および、受信および送信要素を識別するコードに関連付けられる信号を無線周波数で送信する手段、をそれぞれ有する、複数の受信および送信要素と、受信および送信要素が出力した信号を受信および認識するよう構成された携帯型端末であって、ＲＦアンテナ、受信および送信要素を識別するコードのライブラリを含む記憶装置に関連付けられたプロセッサ、プロセッサをプログラミングするためのスマートフォンのような携帯型処理装置との無線接続手段、および視覚的および／または振動による通知手段、を有する携帯型端末と、スマートフォンのような携帯型処理装置にインストールされ、無線接続手段に接続可能且つ端末をプログラミングするためのインタフェースを提供するよう構成されたソフトウェアと、を備え、受信および送信要素の各々は、音響警報に関連付けられる機械的振動のためのトランスデューサとして機能するプレート状の形状を有し、表面への固定手段を備える。【選択図】図１
2019527909.tif 000002
【特許請求の範囲】
【請求項１】
可聴警報または音源に関連付けられる他の特定の音響信号を通知する装置であって、前記装置は、
−  出力音源の近傍において、音の記録および認識フェーズならびに識別コードに関連付けるための適切な手段によって、特定の音響警報にそれぞれ関連付けられる複数の受信および送信要素であって、
−  前記音響警報を受信する圧電センサ、
−  ＦＦＴ分析によって前記音響警報の認識を実行する記憶装置を少なくとも有するマイクロプロセッサ、および
−  前記受信および送信要素を識別するコードに関連付けられる信号を無線周波数で送信する手段、
をそれぞれ有する、複数の受信および送信要素と、
−  前記受信および送信要素が出力した信号を受信および認識するよう構成された携帯型端末であって、
−  ＲＦアンテナ、
−  前記受信および送信要素を識別するコードのライブラリを含む記憶装置に関連付けられたプロセッサ、
−  前記プロセッサをプログラミングするためのスマートフォンのような携帯型処理装置との無線接続手段、および
−  視覚的および／または振動による通知手段、
を有する、携帯型端末と、
−  スマートフォンのような携帯型処理装置にインストールされ、前記無線接続手段に接続可能且つ前記端末をプログラミングするためのインタフェースを提供するよう構成されたソフトウェアと、
を備え、
前記受信および送信要素の各々は、前記音響警報に関連付けられる機械的振動のためのトランスデューサとして機能するプレート状の形状を有し、表面への固定手段を備える、
装置。
【請求項２】
前記プレートは、前記音源の近傍を認識する機能およびその近傍を表示する機能を有し、これに関連して、前記プレートは、前記プレート上に配置されたＬＥＤを有し、記録モードの間、検知された前記音源の強度に基づいて光の強度を変化させる、
請求項１に記載の装置。
【請求項３】
前記端末は、実質的にブレスレットのような形状を有し、前記ブレスレットは、防水ケースを有する、
請求項１に記載の装置。
【請求項４】
前記無線接続手段は、Ｂｌｕｅｔｏｏｔｈ（商標登録）プロトコルを介して動作する、
請求項１に記載の装置。
【請求項５】
前記視覚的および／または振動による通知手段は、任意選択のタッチパネル式ディスプレイと、振動機構と、複数のＬＥＤを使用する点滅および／またはカラー点灯システムと、を含む、
請求項１に記載の装置。
【請求項６】
前記装置は、制御部をさらに備え、前記制御部は、緊急時呼出し用の電話通信手段を備える１つまたは２つ以上の端末に接続され、前記端末には、自動的に緊急時呼出しおよび／またはＳＭＳを起動する「緊急」ボタンが設けられる、
請求項１に記載の装置。
【請求項７】
前記音の記録および認識フェーズは、閾値比較とＦＦＴ分析フェーズをと含み、前記信号振幅レベルにおいて前記音が低すぎる場合には、前記音は破棄され、高い場合には、前記信号に含まれる周波数が分解される
請求項１に記載の装置。
【請求項８】
前記受信および送信要素は、予め格納された音響警報を含む、
請求項１に記載の装置。
【請求項９】
ＲＦ−ＵＳＢ−ＲＦコンバータをさらに備える、
請求項１に記載の装置。
【請求項１０】
前記受信および送信要素または前記端末は、３軸加速度センサを備える、
請求項１または３に記載の装置。
【発明の詳細な説明】
【技術分野】
【０００１】
本発明は、可聴警報、音響信号および音源を識別することができ且つ再生可能な音に関連付けられたあらゆる事象を通知（signalling）する装置に関する。視覚的または振動による警報に変換することができるこの通知は、音源の表示に関連付けられるため、聴覚障がい者、ならびに仕事やレジャー活動において、またはイヤホン等の使用によって一時的に聴覚を妨害される者に、当該音に関連付けられた事象に関する警報を出すことができる。
【背景技術】
【０００２】
表示対象となり得る音の非限定的な例として、固定電話の呼び鈴、ドアベル、タイマー、または洗濯機、オーブンや食器洗い機のような家電製品の音響信号、煙探知機や防犯システムの警報等があるが、表示対象となり得る音は、事実上無限にあることに留意されたい。表示対象となり得る音は、音響的観点から検出され得る音であり、明確に定義された音源に関連付けられる音である。
【０００３】
米国特許出願第２００６／２７３，８９５Ａ１号および同第２０１６／１１７，９０５Ａ１号には、複数の可聴警報検出器から無線信号を受信してモバイル機器、特に携帯電話やテレビ画面に通知を送信する受信器が記載されている。
【発明の概要】
【発明が解決しようとする課題】
【０００４】
本発明の根底にある目的は、非音響信号の出力手段と、上記音源の表示手段とによって、認識可能且つ音源に関連付けることができるあらゆる音響警報を、他の装置に転送することができる通知装置を提供することである。これにより、聴覚障がい者が音響警報を認識して、それに応じた行動をとることができる。
【課題を解決するための手段】
【０００５】
上述した目的は、添付の請求項１に記載した装置によって実現され、さらなる詳細は添付の従属請求項によって定義される。
【０００６】
本発明に係る装置の主な利点は、例えばブレスレットのような単一の携帯型ウェアラブル端末において、受信および送信要素にそれぞれ関連付けることができる複数の音響信号の認識を可能にするという事実にある。また、実質的な容量制限がなく、プログラム類は他の一般的な装置に移行されている。
【０００７】
この場合、本装置は、複数の受信および送信要素を有する。これらの要素の各々は、音源出力の近傍において、適切な音の記録および認識フェーズならびに識別コードとの関連付けによって、特定の音響警報に関連付けることができる。
【０００８】
詳細には、受信および送信要素は、音響警報を受信するセンサを備える。このセンサは、好適には圧電型であり、少なくとも記憶装置を有するマイクロプロセッサと協働する。当該記憶装置は、ＦＦＴ分析によって、音響センサが受信した音響警報の識別を実行する。また、受信および送信要素を識別するコードに関連付けられる信号を無線周波数で送信する手段が設けられる。
【０００９】
各種警報を通知する装置は、受信および送信要素が出力した信号を受信および認識するために使用される携帯型端末をさらに備える。当該端末は、ＲＦ（radiofrequency）アンテナと、受信および送信要素を識別するコードのライブラリを含む記憶装置に関連付けられたプロセッサと、当該プロセッサをプログラミングするためのスマートフォンのような携帯型処理装置との無線接続手段と、視覚的および／または振動による通知手段と、から構成される。
【００１０】
また、各種警報を通知する装置は、スマートフォンのような携帯型処理装置にインストールされたソフトウェアをさらに備える。ソフトウェアは、当該無線接続手段に接続することができ、当該端末をプログラミングするためのインタフェースを提供することもできる。
【００１１】
有利には、受信および送信要素の各々は、プレート状の形状を有し、機械的振動のためのトランスデューサとして機能し、モニタリング対象の警報音源の近傍で好都合に選択される表面への固定手段を備える。
【００１２】
さらに、プレートは、プレート上に配置されたＬＥＤを介して、音源の近傍を認識する機能を有することができる。これは、記録モードの間、検知された音源の強度に基づいて光の強度を変化させる。これにより、モニタリング対象である警報音源の近傍に位置する警報の出力に応じて、視覚的な反応が出力される。
【００１３】
これらの小さなプレートは、接着剤、フックまたは他の任意のシステムによって、音源の近傍にある表面、または音源の近傍の位置、または直接音源に取り付けることができる。
【００１４】
以下では、説明の便宜上、「プレート」という用語は、受信および送信要素を示すために使用される。このようなプレートは、上述した構成要素（センサ、プロセッサ、記憶装置、送受信アンテナ、バッテリ）を実装し且つプレートの動作に必要なプリント回路基板や任意選択の他の構成要素を備えることは明らかである。
【００１５】
同様に、「ブレスレット」という用語は、本発明に係る装置の複数のプレートに関連付けられる携帯型端末を示すために使用される。
【図面の簡単な説明】
【００１６】
以下、添付の図面を参照して、限定的ではない一例として例示する好適な実施例に従って、本発明を説明する。
【図１】本発明に係る装置をプログラミングするための手順を示す図である。
【図２】図１の装置をプログラミングするための手順の詳細を示す図である。
【図３】本発明に係る装置の構成要素の操作手順を示す図である。
【図４】本発明に係る装置の別の構成要素の操作手順を示す図である。
【発明を実施するための形態】
【００１７】
図を参照すると、本明細書に記載する通知装置は、例えば５枚の、可変数のプレートと、受信器として機能するブレスレットと、から構成される。
【００１８】
各プレートは、音響警報を受信するための圧電センサと、少なくとも記憶装置を有し且つＦＦＴ分析によって音響警報の認識を実現することができるマイクロプロセッサと、プレート固有の識別コードに関連付けられた信号を送信するための手段、特に、ＲＦアンテナと、を含む集積回路を有する基板を備える。プレートは、表面への固定手段と、任意選択の交換可能なバッテリと、をさらに含む。
【００１９】
一方、端末として機能するブレスレットは、ＲＦ送受信アンテナと、関連付けられたプレートを識別するコードのライブラリを含む記憶装置に関連付けられたプロセッサと、当該プロセッサをプログラミングするためのスマートフォンのような携帯型処理装置との無線接続手段と、視覚的および／または振動による通知手段と、を備える。好ましくは、交換可能なバッテリと、任意選択の防水ケースおよび使用者のブレスレットの着用を可能にする開閉機構も有する。
【００２０】
当該記憶装置は、上述したコードを含むとともに、様々なプレートに関連付けられる音源の名称も含む。これは、後述する記憶装置に組み込まれたライブラリまたは外部の管理ソフトウェアを介して利用可能となる。
【００２１】
無線接続手段は、Ｂｌｕｅｔｏｏｔｈ（商標登録）のような標準プロトコルを介して動作することができる。視覚的および／または振動による通知手段は、ＯＬＥＤ型のタッチパネル式ディスプレイのようなディスプレイと、振動機構と、ＬＥＤを使用する点滅および／またはカラー点灯システムと、任意選択の音響通知装置と、を含むことができる。
【００２２】
ディスプレイは、現在の日時に関連する情報を表示することができ、マイクロプロセッサは、時計や目覚まし時計としての役割をさらに有することができる。
【００２３】
ブレスレットは、ＧＰＳアンテナと、ブレスレットを着用しているユーザの生理学的データを検出して健康状態（心拍数等）をモニタリングするための手段と、をさらに含むことができる。
【００２４】
また、例えば緊急時呼出しのために、異なるブレスレットが互いに通信すること、また場合よっては専用ＳＩＭを介した電話通信手段を含む制御ユニットと通信することを意図されている。
【００２５】
プレートは、可聴警報や音響警報等を生成してそれらを認識する任意の装置、システムまたは物体に関連付けられた機械的振動の送受信機として機能するように構成されている。
【００２６】
プレートによるこの機会的振動の検知および認識工程は、いくつかのフェーズに分けられる。それらを以下に詳細に示す。
１．  音を発することができる物体にプレートを取り付けると、プレートは、初回に限り、記憶モードで有効となる。これにより、振動インプリント（軌跡）を保持して、後のインプリントと比較および組み合わせることができる（図１）。
２．  この記録モードにおいて、プレートが物理的に取付けられた物体が、音を発する（図１）。
３．  制御ボタンによって記録フェーズが終了すると、関連付けられた音響警報のインプリントが記録され、プレートは、次の比較を行える状態となる。ただし、新しい記憶フェーズが有効となると、既存のインプリントは、削除されるか、将来使用するために記憶装置に格納される。
４．  認識フェーズが有効となると、２つの異なるフェーズにおいて比較が行われる（図３）。最初のフェーズは、閾値比較のフェーズである。このフェーズでは、信号振幅レベルにおいて音が低すぎる場合には、音は破棄され、プレート内のプロセッサは起動しない。これにより、プレートに組み込まれたバッテリからの過剰なエネルギーの不必要な消費が防止される。一方、閾値比較が達成される場合には、プロセッサは起動して、受信した振動と記録されたインプリントとがＦＦＴ分析によって比較される。ここで、音、振動または高調波に分解され得るすべての信号に含まれる周波数は分解されて、固有の電子指紋と同様の識別を実現するために必要な高調波に戻される。
【００２７】
好都合には、いかなる環境音をも受信して「聞く」ことがないように、且つプレートが機械的／物理的に関連付けられる領域において、音／振動のみが高い精度で離散されるように、圧電センサを介して、記録フェーズと音響警報を聞くフェーズとが実行される。
【００２８】
振動が認識されると、プロセッサは、アンテナを介して、例えば８６８ＭＨｚの周波数で、ブレスレットが受信することができる無線周波数通知を送信する（図４）。このメッセージは、明らかにコード化される。すなわち、干渉を受けないようにプレート固有の認識キーと、プレートコードと、バッテリ使用量とを含む。これにより、通知を受信した機器のプレートのバッテリ充電量をユーザに伝達することができる。
【００２９】
次に、ブレスレットは、初回に限り、一般識別番号のみを含む通知をプレートから受信する。「音を発した」ことを検出したため、ブレスレットは、その対象であるプレートを正確に認識する。これにより、ユーザは、外部ソフトウェアを使用して名称の割り当てを行うことができる（図４）。
【００３０】
これは、無線モードでブレスレットに接続可能なスマートフォンのような携帯型処理装置にインストールされる。
【００３１】
このようなソフトウェアおよびスマートフォンのグラフィカルインタフェースを介して、ブレスレットに予め記録された名称の中から特定の名称を選択して直前に検出したプレートに割り当てることによって、または自由に名称を割り当てることによって、プレートとブレスレットとを関連付けることができる。以降、ブレスレットは、プレートを認識するための一般番号を表示することなく、ユーザが割当てた特定の名称を表示する。
【００３２】
ブレスレットは、割り当てられた名称をＯＬＥＤ型ディスプレイに表示するとともに、搭載される１つまたは２つ以上のＬＥＤによって点滅し、振動する。
【００３３】
ブレスレットが複数である場合には、ボタンを使って相手を呼び出し、振動および点灯による通知を相手に送信することができる。また、プレートに使用されるものと同様の手順でソフトウェアを使ってブレスレットを呼び出すこともできる。このブレスレット間通信は、スマートフォンを使用することなく、常に無線周波数を介して行うことができる。
【００３４】
ブレスレットには、「緊急」ボタンが設けられている。これは、ソフトウェアによって緊急連絡先が予め設定された１人または２人以上の親族または保護責任者に対する緊急時呼出しおよび／またはＳＭＳまたは他の通知を起動する。
【００３５】
ブレスレットは、通常の時計や目覚まし時計としても動作する。ブレスレットおよびソフトウェアから時間を設定することで、上述したものと同じ振動を用いて聴覚障がい者を起こすことができる。
【００３６】
プレートは、音源の近傍を認識することができる。すなわち、音の発生場所を正確に特定することができる。これにより、ユーザは、検知を行う物体上により適切にプレートを配置することができる。これは、プレート上の単一のＬＥＤを使用して、記録モードの間に光の強度を変えることで、音源からの距離を知らせることができる。
【００３７】
ベルを例にとると、この機能は、本体の不特定箇所ではなく、ベルのブザーの直上にプレートを取り付けることを可能にするため、プレートの精度が向上する。
【００３８】
バッテリの節約のためまたは利便性のため（例えば、外出時）に、ユーザは、ブレスレットから通知の受信を有効または無効にすることもできる。
【００３９】
プレートによる振動の認識に関しては、受信環境において発生し得る事象を追加するために、プレートのさらなるプログラミングが必要である。そのうちの１つは、火災警報器のように、予め設定された音に対してプレートを予め起動しておく機能をユーザに提供することに関する。実際、上述した警報は、音を記録する手順ではユーザによる起動は容易ではなく、必然的に困難であり、深刻な苦痛をユーザに与える可能性がある。プレートの近傍で大きな音が発生したときにユーザに通知が出されるように構成することで、この問題を解決することができる。
【００４０】
また、簡単に再生できる音に関しては、ユーザは、通常の記録された音を直接参照する。
【００４１】
さらに、追加の特定の機能である「音延長通知」と「音終了通知」の２つをプログラミングすることもできる。これら２つのモードでは、エネルギーの節約とプレートプロセッサへの割り込みに関して、プレートを直接プログラミングできるソフトウェアを使用する必要がある。これにより、検出した管理レベルを変更することができる。通常、この場合のプレートは起動されない（ＲＦ受信をＯＦＦしてエネルギー節約）ため、例えば、単にボタンをダブルクリックすることで（ＬＥＤによるフィードバック有り）予めプレートを起動しておき、これらのコマンドを受信できるようにしておく必要がある。
【００４２】
プレートの特定の実施例は、以下を備える。
−  内部にＲＦ８６８ＭＨｚ送受信機を組み込んだＳｉｌｉｃｏｎ  Ｌａｂ製Ｃｏｒｔｅｘ（商標登録）プロセッサ。
−  圧電センサ。
−  圧電信号の信号を増幅する回路。
−  バッテリ消費量を測定する、電流センサとして知られる残量計（Fuelgauge）。
−  ボタン。
−  ＬＥＤ。
−  結合された線から構成されたアンテナ。
−  バッテリの充電およびファームウェアの再プログラミングのためのｍｉｎｉ−ＵＳＢポート。
−  ＣＲ２０３２電池のためのハウジング。
【００４３】
また、ブレスレット端末の特定の実施例は、以下を備える。
−  内部にＲＦ８６８送受信機を組み込んだＳｉｌｉｃｏｎ  Ｌａｂ製Ｃｏｒｔｅｘ（商標登録）プロセッサ。
−  Ｂｌｕｅｔｏｏｔｈモジュール。
−  角型または円形のＯＬＥＤ型ディスプレイモジュール。
−  電源マネージャとして機能し、ＯＮ、スタンバイおよびバッテリ充電を管理する集積回路。
−  バッテリ消費量を測定する、残量計を組み込んだ回路または電流センサ。
−  ４つのＬＥＤ。１つは、ＯＮおよび送信を通知するために使用され、残りの３つまたはそれより少ない数のＬＥＤは、ＧＢタイプであり、機能に応じてそれぞれ関連付けられた色を用いて、受信した通知を通達するために使用される。
−  ３つのボタン。１つは、ＯＮのために使用され、残りの２つは、オプションのために使用される（そのうちの１つまたは２つ以上を長押しまたは同時押しすることによって、緊急時呼出しを起動する）。
−  バッテリの充電およびファームウェアの再プログラミングのためのｍｉｎｉ−ＵＳＢポート。
−  ３．７Ｖ  ３００ｍＡｈのリチウム高分子電池。
−  振動エンジン。
【００４４】
ブレスレットは、好ましくは（ユーザがシャワーや海などで着用できるように）完全防水であり、そのため、制御された接点を有する誘発充電または充電システムを必要とする。
【００４５】
これに関して、小さなベースがブレスレットのハードウェア部分に追加される。これは、フィーダ（またはＰＣのＵＳＢ）とブレスレットとの間の接続のためにのみ機能して、ブレスレットへの電源供給および充電を可能にする。第三者が２２０Ｖ〜５Ｖのフィーダを提供することもできる。バッテリをブレスレット本体から取り外して別の充電済バッテリに交換することができる。このようにして、ユーザは、ブレスレットを手首に常に装着して、システムに接続された状態を常に保つことができる。上述した別のバッテリは、単に充電台におくだけで充電され得る。
【００４６】
プレートおよびブレスレットは、３軸加速度センサを有することもできる。このようなプレートによって、ユーザがいる空間の動きまたは振動、あるいは地震の発生を検出したときに、受信端末を介して通知をユーザに伝達することができる。
【００４７】
代替的に、加速度センサを有するブレスレットには、手首を持ち上げるとディスプレイを起動する機能が組み込まれる。これにより、ボタンを押すことなく情報を読むことができる。
【００４８】
ソフトウェアに関しては、以下の機能を有する。
−  ユーザが、ディスプレイに表示されるプレートの名称を変更できるようにする機能、すなわち、プレートを識別するコードにブレスレットが新しい名称を割り当てる機能。ユーザは、予め用意された一連の名称（ベル、インターホン、電話、目覚まし時計）の中から新しい名称を選択することができ、リストに記載れていない別の名称を追加することもできる。
−  ユーザが、予め用意された点灯および振動方法の中から、特定の通知に関連付けたいものをプレートごとに選択できる機能。各モードの点灯および振動方法は、断続性、継続時間および実行方法が異なる。
−  危険な状態の場合にユーザがボタンを押すと、ブレスレットから直接近親者に通知を送ることができる機能（コマンドはブレスレットから発信され、ソフトウェアがそれを実行する）。
−  通話着信、ＳＭＳ、ソーシャルネットワークまたは他のメッセージサービスからの通知をブレスレットに送信する機能。
−  ユーザが、プレートを構成してシステム全体の使用方法を拡張できるように、追加の機能を提供する機能。ユーザは、特に「音延長通知」機能を参照して、音延長または終了の時間を設定することができる。音を停止する特定の場合には、「音終了通知」機能によって設定される。
−  （ＲＦ受信のためにダブルクリックして予め起動された）プレートの範囲を認証する機能。この場合、ユーザがプレートから離れる際に受信される信号レベルを、ソフトウェアがグラフィックとして表示する。これにより、ユーザは、自宅全体や気になる部分に関して通知を受信できることを予め認識できるため、問題に対して落ち着いて対処することができる。これは、自宅の外に駐車した車にプレートを取り付けた場合、その車の所有者が盗難や事故の被害者となったことを知ることができるため、非常に重要である。また、ソフトウェアによってＲＦをＯＦＦすることもできるが、代替的に、非アクティブ状態によって自動的にＯＦＦすることもできる。
−  ユーザが、記録フェーズの間、プレートが現在検知している振動／音の強度を、グラフィックとして表示するソフトウェアを介して制御できる機能。また、レベルが正しい検出のために適切であるかを表示する機能。これにより、ユーザは、検知を行う物体上に最適にそれを配置することができる。
−  警告モードとともに、通知システムをユーザが有効または無効にしたい時間帯をカスタマイズすることで、受信する通知を任意に選択することができる機能。
−  プレートが検出し且つ設定時間外に発生した音を伝達するためにブレスレットを設定することができる機能。これにより、例えば、設定時間を超えた場合に、「異常な」アクティビティを検出したとユーザに伝達するよう、単一または複数のプレートを設定することができる。このオプションは、プレートをドアや窓、車などに取り付けて警報システムとして使用する場合に、便利である。このようにして、ユーザ自身が行動を起こした場合は通知を受信しないが、外出時または就寝中に発生した場合は通知を受信する（タイマーはユーザの判断で任意に設定することができる）。
【００４９】
このモードは、プレートになされたプログラミングに影響を与えない。実際、例えば音が３０分延長された場合に通知を伝達するようプレートが設定されている場合、通常の動作時間を超えた音を検出したときに、通知をブレスレットに送信する。
【００５０】
上述したことを参照すると、プレートとブレスレットとの間の無線通信は、Ｂｌｕｅｔｏｏｔｈ（商標登録）規格を介して行われることを意図されている。これは、適切なアプリケーションを介してユーザによってプログラミングすることもできるが、市販されている既存の装置を端末として使用こともできる。
【００５１】
また、上述した制御部は、通信ハブを介して動作させることができる。これは、その範囲を拡大してＷｉｆｉ−３Ｇ−Ｅｔｈｅｒｎｅｔ接続または他の接続方法を可能にする。これにより、外出時の通知の受信を含んだ一連の他のオプションに関する選択肢が広がる。
【００５２】
また、プレートは、聴覚障がい者のための学校や様々な事務所のような広い空間、すなわち、空間的な広がりに対応するために対象となる範囲を広げることができる大きなアンテナを有することができる。
【００５３】
これらのプレートには、ＳＩＭを組み込むことができる。このようなプレートを使用すると、ＳＭＳ、呼出し、または様々な種類の警告を、ソフトウェアを介して直接受信することができる。これらは、サーバーに接続されてから、ユーザのオンラインアカウントに接続され、そこでプレートによって送信されるすべての通知がまとめられる。このようにして、ユーザは、ウェブを介して自宅を完全に制御することができ、アプリケーションのみならず、ブラウザにアクセスすることができるすべての装置にまで通知を伝達することができる。
【００５４】
ＳＩＭを有するプレートの実装と並行して、ＳＩＭおよびＲＦプレートが接続されたブレスレットを設けて、システム全体として同じことをユーザが行うことができる。このようにして、ブレスレットによる遠隔設定をすることができる。例えば、システムを構成するにあたって問題に遭遇した場合、ユーザは、遠隔による技術サポートを依頼して、代わりにシステム構成を行う専門家の知識を利用することができる。そうすることで、システムは、ネットワークに接続された任意の装置によって制御され、構成の範囲は、アプリケーション（ＳＭＳによる伝達、ＳＯＳコールによる緊急時呼出し）の範囲を大きく超えることができる。
【００５５】
システムは、ＲＦ−ＵＳＢ−ＲＦコンバータを有することができる。これは、ＵＳＢポートを介して、プレートと、スマートフォンまたはＰＣとを直接接続する。これにより、プレートと、ブレスレット以外の装置との通信が可能になる。
【００５６】
プレートおよびブレスレットのソフトウェアは、それらが有するｍｉｎｉ−ＵＳＢポートを介したＰＣとの接続または他の接続方法によって更新され得る。
【００５７】
最後に、プレートは、バッテリを必要としないが、圧電センサが検出した振動によって自己給電する超薄型のものとすることができる。
【００５８】
ブレスレット端末は、例えば、上述した機能を予め有し且つスマートフォンのような追加の携帯型処理装置に接続され得るスマートウォッチのような最先端の端末であることを意図されている。また、上述したスマートフォンのような携帯型処理装置の機能を、スマートウォッチのようなブレスレット端末に組み込むこともできる。
【００５９】
当業者は、上述した装置に対してさらなる付随的な要求を満たすために、添付の請求項に記載された本発明の保護範囲から逸脱しない範囲で種々変更を行うことができる。
【図１】
2019527909.tif 000003
【図２】
2019527909.tif 000004
【図３】
2019527909.tif 000005
【図４】
2019527909.tif 000006
【国際調査報告】
2019527909.tif 000007
2019527909.tif 000008
2019527909.tif 000009